(57)【要約】【課題】搬送中の原稿の端部と位置規制部とが接触するのを防止して、原稿を滞りなく搬送できる画像読取装置、及び画像形成装置を提供する。【解決手段】画像読取装置４は、載置部４０と、読取部４５と、原稿搬送部５０とを備える。載置部４０には、原稿、及び識別媒体が載置される。読取部４５は、原稿、及び識別媒体を読み取る。原稿搬送部５０は、原稿を読取部に搬送する。載置部４０は、第２コンタクトガラス４２と、媒体規制部５９とを有する。第２コンタクトガラス４２には、識別媒体が載置される。媒体規制部５９は、第２コンタクトガラス４２に載置される識別媒体の位置を規制する。原稿は、原稿の搬送方向と直交する方向の両側の両側端部と、両側端部の間の中央部とを有する。媒体規制部５９は、原稿の中央部とのみ当接する。【選択図】図４
2018037727.tif 000002
【特許請求の範囲】
【請求項１】
原稿、及び識別媒体が載置される載置部と、
前記原稿、及び前記識別媒体を読み取る読取部と、
前記原稿を前記読取部に搬送する原稿搬送部と
を備える、画像読取装置であって、
前記載置部は、
前記識別媒体が載置される第１載置部と、
前記第１載置部に載置される前記識別媒体の位置を規制する媒体規制部と
を有し、
前記原稿は、前記原稿の搬送方向と直交する方向の両側の両側端部と、前記両側端部の間の中央部とを有し、
前記媒体規制部は、前記原稿の前記中央部とのみ当接する、画像読取装置。
【請求項２】
前記原稿搬送部は、前記原稿が載置される搬送トレイを有し、
前記媒体規制部は、前記搬送トレイに載置される前記原稿の位置に対応して、前記載置部に形成される、請求項１に記載の画像読取装置。
【請求項３】
前記搬送トレイは、前記搬送トレイに載置される前記原稿の位置を規制する原稿規制部を有し、
前記原稿規制部は、前記原稿の搬送方向に沿った前記搬送トレイの中心線と、前記搬送方向に沿った前記原稿の中心線とが重なるように、前記原稿の位置を規制する、請求項２に記載の画像読取装置。
【請求項４】
前記搬送トレイは、前記搬送トレイに載置される前記原稿の位置を規制する原稿規制部を有し、
前記原稿規制部は、前記搬送トレイの前記原稿の搬送方向と直交する方向の一方側に固定された第１カーソルと、前記原稿の搬送方向と直交する方向の任意の位置に固定可能な第２カーソルとを有し、
前記第２カーソルは、前記原稿を前記第１カーソルに当接するように前記原稿の位置を規制する、請求項２に記載の画像読取装置。
【請求項５】
前記載置部は、
前記原稿、又は前記識別媒体が載置される第２載置部と、
前記第１載置部と前記第２載置部との間に配される仕切り部と
を更に有し、
前記媒体規制部は、前記仕切り部に形成される凹部を有し、
前記凹部は、前記第１載置部に載置された前記識別媒体の縁部と当接する、請求項１から請求項４のいずれか１項に記載の画像読取装置。
【請求項６】
前記識別媒体の画像データに基づいて使用者を認証し、前記使用者の認証の結果を示す認証信号を生成する認証制御部と、
前記読取部を制御する読取制御部と
を更に備え、
前記読取制御部は、前記識別媒体の画像データを生成させた後に、前記原稿を読み取らせるように前記読取部を制御する、請求項１から請求項５のいずれか１項に記載の画像読取装置。
【請求項７】
前記認証制御部は、前記識別媒体の画像データに基づいて、前記識別媒体の画像を回転させて、前記識別媒体の画像に含まれる文字を認識する、請求項６に記載の画像読取装置。
【請求項８】
前記読取部は、前記識別媒体の一部を読み取って、前記識別媒体の画像データを生成する、請求項１から請求項７のいずれか１項に記載の画像読取装置。
【請求項９】
請求項１から請求項８のいずれか１項に記載の画像読取装置と、
記録媒体に画像を形成する画像形成部と
を備える、画像形成装置。
【発明の詳細な説明】
【技術分野】
【０００１】
本発明は、画像読取装置、及び画像形成装置に関する。
【背景技術】
【０００２】
特許文献１に記載の複写機は、スキャナーと、比較部と、メモリーとを備える。スキャナーは、原稿、又は使用者の部門管理カードを読み取る。比較部は、スキャナーによって読み取られた部門管理カードのビット情報と、メモリー内のビット情報とが一致すると、複写機のコピー禁止状態を解除する。
【０００３】
特許文献１に記載の複写機では、コピー機能を使用するために、使用者は、まず、識別媒体（部門管理カード）をセットして、複写機による読取動作を開始させる。この結果、読み取られた識別媒体のビット情報と、メモリー内のビット情報とが一致すると、複写機はコピー禁止状態を解除する。次に、使用者は、識別媒体を取り出した後に、原稿をセットしてコピー開始操作を行う。
【０００４】
コピー開始迄の操作工程を減少するために、例えば、原稿と識別媒体とをスキャナーに並べて載置し、原稿と識別媒体とを同時に読み取ることが考えられる。このような態様では、スキャナーに媒体規制部が設けられて、識別媒体が載置される位置を規制する。
【先行技術文献】
【特許文献】
【０００５】
【特許文献１】特開平８−４４２６１号公報
【発明の概要】
【発明が解決しようとする課題】
【０００６】
しかしながら、スキャナーが原稿を搬送して、搬送中の原稿を読み取る機能を有する場合には、搬送中の原稿の端部と媒体規制部とが接触するおそれがあり、原稿を滞りなく搬送することについては改善の余地がある。
【０００７】
本発明は上記課題に鑑みてなされたものであり、その目的は、搬送中の原稿の端部と媒体規制部とが接触することを防止して、原稿を滞りなく搬送できる画像読取装置、及び画像形成装置を提供することにある。
【課題を解決するための手段】
【０００８】
本発明に係る画像読取装置は、載置部と、読取部と、原稿搬送部とを備える。前記載置部には、前記原稿、及び識別媒体が載置される。前記読取部は、前記原稿、及び前記識別媒体を読み取る。前記原稿搬送部は、前記原稿を前記読取部に搬送する。前記載置部は、第１載置部と、媒体規制部とを有する。前記第１載置部には、前記識別媒体が載置される。前記媒体規制部は、前記第１載置部に載置される前記識別媒体の位置を規制する。前記原稿は、前記原稿の搬送方向と直交する方向の両側の両側端部と、前記両側端部の間の中央部とを有する。前記媒体規制部は、前記原稿の前記中央部とのみ当接する。
【０００９】
本発明に係る画像形成装置は、上記画像読取装置と、画像形成部とを備える。前記画像形成部は、記録媒体に画像を形成する。
【発明の効果】
【００１０】
本発明の画像読取装置、及び画像形成装置によれば、搬送中の原稿の端部と媒体規制部とが接触することを防止して、原稿を滞りなく搬送できる。
【図面の簡単な説明】
【００１１】
【図１】本発明の実施形態に係る画像形成装置の構成を示す図である。
【図２】図１の画像形成装置の画像読取装置の近傍を示す斜視図である。
【図３】図２の原稿搬送部を模式的に示す平面図である。
【図４】図３の載置部を模式的に示す平面図である。
【図５】図４のＶ−Ｖ線に沿った断面を示す図である。
【図６】図２の画像読取装置を模式的に示す断面図である。
【図７】図１の画像形成装置の構成を示すブロック図である。
【図８】本発明の他の実施形態に係る原稿搬送部を模式的に示す平面図である。
【発明を実施するための形態】
【００１２】
以下、図面を参照して本発明の実施形態を説明する。ただし、本発明は以下の実施形態に限定されない。なお、図中、同一、又は相当部分については、同一の参照符号を付して説明を繰り返さない。
【００１３】
図１を参照して、本発明の実施形態に係る画像形成装置１について説明する。図１は、本発明の実施形態に係る画像形成装置１の構成を示す。
【００１４】
図１に示すように、本実施形態の画像形成装置１は、コピー機能を有する複合機である。なお、複合機は、コピー機能に加えて、例えば、プリンター機能、及びファクシミリ機能のうち少なくともいずれか１つの機能を有する。
【００１５】
画像形成装置１は、筐体２と、画像形成部３と、画像読取装置４と、操作パネル６と、制御部７と、記憶部８とを備える。図１において、操作パネル６が向く方向を前方とし、前後方向を規定する。また、画像形成装置１の正面に向かって左手側を左方とし、左右方向を規定する。また、前後方向、及び左右方向と直交する方向を上下方向と規定する。
【００１６】
筐体２は、画像形成部３と、制御部７と、記憶部８とを収容する。また、筐体２は、画像読取装置４の下面部に接触して、画像読取装置４を下方から支持する。
【００１７】
画像形成部３は、用紙Ｓにトナー画像を形成する。画像形成部３は、感光体ドラム３１と、帯電部３２と、露光部３３と、現像部３４と、転写部３５とを有する。
【００１８】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１９】
図２を参照して、画像読取装置４の構成について説明する。図２は、画像形成装置１の画像読取装置４の近傍を示す斜視図である。画像読取装置４は、原稿、及び識別媒体から画像を読み取って画像データを生成する。図２に示すように、画像読取装置４は、載置部４０と、原稿搬送部４５とを備える。
【００２０】
識別媒体は、例えば、カード状に形成される。識別媒体には、社員番号、学生番号等の個人番号、及び顔写真等の個人データが記載される。識別媒体は、例えば、社員証、学生証、免許証、又は保険証である。
【００２１】
載置部４０には、原稿、及び識別媒体が載置される。載置部４０は、第１コンタクトガラス４１と、第２コンタクトガラス４２と、仕切り部４３と、縁部４４とを有する。
【００２２】
第１コンタクトガラス４１は、本発明の第２載置部の一例である。第１コンタクトガラス４１は、透明な板状のガラスから形成される。第１コンタクトガラス４１は、載置部４０の中央部に配される。第１コンタクトガラス４１は、第１コンタクトガラス４１の長手方向と左右方向とが一致するように載置部４０に配される。
【００２３】
第１コンタクトガラス４１には、原稿、又は識別媒体が載置される。原稿の読取面は、原稿が第１コンタクトガラス４１に載置された際に、第１コンタクトガラス４１の上面に接触する。
【００２４】
識別媒体の個人データの記載面は、識別媒体が第１コンタクトガラス４１に載置された際に、第１コンタクトガラス４１の上面に接触する。原稿、及び識別媒体は、第１コンタクトガラス４１の左後側の縁部に設けられた基準点Ａを基準として載置されることが望ましい。
【００２５】
第２コンタクトガラス４２は、本発明の第１載置部の一例である。第２コンタクトガラス４２は、透明な板状のガラスから形成される。第２コンタクトガラス４２は、第１コンタクトガラス４１の左方に配される。第２コンタクトガラス４２は、第２コンタクトガラス４２の長手方向と前後方向とが一致するように載置部４０に配される。
【００２６】
第２コンタクトガラス４２には、識別媒体が載置される。識別媒体の個人データの記載面は、識別媒体が第２コンタクトガラス４２に載置された際に、第２コンタクトガラス４２の上面に接触する。
【００２７】
仕切り部４３は、第１コンタクトガラス４１と第２コンタクトガラス４２との間に配される。縁部４４は、第１コンタクトガラス４１、第２コンタクトガラス４２、及び仕切り部４３の周囲に形成される。なお、第１コンタクトガラス４１と第２コンタクトガラス４２とは、仕切り部４３の下方で互いに連続するように一体形成されてもよい。
【００２８】
原稿搬送部４５は、載置部４０に対して開閉自在である。詳しくは、原稿搬送部４５は、回転軸心を介して載置部４０に取り付けられる。原稿搬送部４５は、回転軸心によって、載置部４０に回動可能に支持される。回転軸心は、載置部４０の後側端部に設けられる。したがって、原稿搬送部４５は、後側端部を中心として上下方向に開閉自在である。原稿搬送部４５の底面は、原稿搬送部４５が閉じられた際に、載置部４０の上面と対向する。
【００２９】
原稿搬送部４５は、原稿搬送トレイ４６と、搬送部４７と、接触部４８と、原稿排出トレイとを有する。原稿搬送トレイ４６は、原稿搬送部４５の上部に配される。原稿搬送トレイ４６には、複数の原稿が載置可能である。原稿搬送トレイ４６には、原稿の読取面が上面となるように原稿が載置される。
【００３０】
原稿搬送トレイ４６は、原稿検知部を有する。原稿検知部は、原稿搬送トレイ４６に原稿が載置されているか否かを検知する。原稿検知部は、原稿を検知すると原稿検知信号を制御部７に出力する。
【００３１】
搬送部４７は、搬送ローラー対と、ガイド板４７ａとを有する。搬送ローラー対は、原稿搬送トレイ４６から第２コンタクトガラス４２の上面に原稿を搬送する。搬送ローラー対は、原稿搬送トレイ４６に複数の原稿が載置される場合に、第２コンタクトガラス４２の上面に複数の原稿を連続して搬送する。
【００３２】
ガイド板４７ａは、原稿搬送部４５が閉じられた際に、載置部４０の左側の縁部４４と共に第１案内部を形成する。第１案内部は、搬送ローラー対によって搬送される原稿を第２コンタクトガラス４２の上面へと案内する。
【００３３】
ガイド板４７ａは、原稿搬送部４５が閉じられた際に、仕切り部４３と共に第２案内部を形成する。第２案内部は、第２コンタクトガラス４２の上面に案内された原稿を原稿排出トレイに向けて案内する。
【００３４】
原稿排出トレイは、原稿搬送トレイ４６の下方に形成される。原稿排出トレイは、複数の原稿を積載可能である。
【００３５】
接触部４８は、板状に形成される。接触部４８は、原稿搬送部４５の底面に配される。接触部４８の下側を向く主面は、第１コンタクトガラス４１の全域を均一に押圧する。この結果、第１コンタクトガラス４１に載置された原稿、又は識別媒体の移動が抑制される。また、接触部４８は、白色に形成される。
【００３６】
図３を参照して、原稿搬送部４５について説明する。図３は、原稿搬送部４５を模式的に示す平面図である。詳しくは、図３に示す鎖線Ｌは、原稿搬送トレイ４６の中心を示す。
【００３７】
図３に示すように、原稿搬送トレイ４６は、カーソル４６ａ、４６ｂと、上面部４６ｃとを有する。カーソル４６ａ、４６ｂは、本発明の原稿規制部の一例である。カーソル４６ａ、４６ｂは、上面部４６ｃ上において、前後方向の任意の位置に固定可能である。カーソル４６ａは、原稿Ｐの後側の縁部に当接する。カーソル４６ｂは、原稿Ｐの前側の縁部に当接する。このようにして、カーソル４６ａ、４６ｂは、原稿搬送トレイ４６に載置された原稿Ｐの前後方向の位置を規制する。
【００３８】
カーソル４６ａ、４６ｂは、原稿搬送トレイ４６の中心線Ｌと、原稿Ｐの中心線とが重なるように、原稿Ｐの位置を規制する。原稿搬送トレイ４６の中心線Ｌ、及び原稿Ｐの中心線は、原稿Ｐの搬送方向Ｐａに沿ってのびる。具体的には、カーソル４６ａ、４６ｂは、例えば、ラックとピニオンのような連動部材を介して連動連結される。したがって、原稿Ｐのサイズに応じて、カーソル４６ａ、４６ｂが連動して前後方向に移動される。この結果、原稿搬送トレイ４６の前後方向の中心を示す中心線Ｌと原稿Ｐの前後方向の中心を示す中心線とが一致する。
【００３９】
図４を参照して、載置部４０について説明する。図４は、載置部４０を模式的に示す平面図である。詳しくは、図４は、載置部４０の左側の近傍を示す平面図である。図４に示す鎖線Ｐは、搬送中の原稿Ｐを示す。原稿Ｐは、図４に示す矢印Ｐａの方向に沿って左方から右方に搬送される。原稿Ｐは、原稿Ｐの搬送方向と直交する方向の両側の両側端部と、両側端部の間の中央部とを有する。
【００４０】
第１コンタクトガラス４１には、第１載置位置が設定される。図４に示す鎖線Ｄ１は、第１コンタクトガラス４１の第１載置位置に載置された識別媒体Ｄ１を示す。以下、第１載置位置に載置された識別媒体を識別媒体Ｄ１と記載する。第１載置位置は、第１コンタクトガラス４１の基準点Ａを基準として、原稿、又は識別媒体が載置される位置である。
【００４１】
第２コンタクトガラス４２には、第２載置位置が設定される。図４に示す鎖線Ｄ２は、第２コンタクトガラス４２の第２載置位置に載置された識別媒体Ｄ２を示す。以下、第２載置位置に載置された識別媒体を識別媒体Ｄ２と記載する。第２載置位置は、第２コンタクトガラス４２において、識別媒体が載置される位置である。
【００４２】
図４に示すように、載置部４０は、媒体規制部５９を更に有する。媒体規制部５９は、第２コンタクトガラス４２に載置される識別媒体の位置を規制する。媒体規制部５９は、識別媒体Ｄ２を第２載置位置に規制する。
【００４３】
媒体規制部５９は、搬送中の原稿Ｐの両側端部と中央部とのうち、中央部とのみ当接する。媒体規制部５９は、図３を参照して説明したカーソル４６ａ、４６ｂによって規制される原稿Ｐの位置に対応して、載置部４０に形成される。本実施形態の媒体規制部５９は、載置部４０において、前後方向の中央部に形成される。したがって、本実施形態の画像形成装置１では、搬送中の原稿Ｐの端部と媒体規制部５９とが接触することを防止でき、原稿Ｐを滞りなく搬送できる。
【００４４】
媒体規制部５９は、凹部５９ａと、当接部５９ｂとを有する。当接部５９ｂについては、図５を参照して後述する。
【００４５】
凹部５９ａは、仕切り部４３に形成される。凹部５９ａは、仕切り部４３を、例えば、識別媒体の形状に応じて切り欠いて形成される。本実施形態の凹部５９ａは、平面視矩形状に形成される。
【００４６】
凹部５９ａは、第２コンタクトガラス４２に載置された識別媒体Ｄ２の縁部と当接する。詳しくは、識別媒体は、第２コンタクトガラス４２に載置される際に、識別媒体の角部と凹部５９ａの角部とが合致するように載置される。この結果、第２載置位置に載置された識別媒体Ｄ２は、右方、及び後方への移動が規制される。
【００４７】
本実施形態の凹部５９ａは、仕切り部４３の前後方向の中央部に形成される。したがって、本実施形態の画像形成装置１では、搬送中の原稿Ｐの端部と凹部５９ａとが接触することを防止でき、原稿Ｐを滞りなく搬送できる。
【００４８】
図５を参照して、載置部４０について更に説明する。図５は、図４に示すＶ−Ｖ線に沿った断面を示す。図５に示すように、仕切り部４３は、図４を参照して説明した原稿Ｐの搬送方向Ｐａに対して傾斜する。したがって、仕切り部４３は、第２コンタクトガラス４２の上面に案内された原稿Ｐを原稿排出トレイに向けて案内する。
【００４９】
当接部５９ｂは、正面視Ｌ字状に形成される。当接部５９ｂは、載置部４０の左側の縁部４４に配される。当接部５９ｂは、例えば、使用者が操作することによって、第２コンタクトガラス４２の上面を左右方向に移動する。当接部５９ｂは、識別媒体Ｄ２に当接して、識別媒体Ｄ２の左方への移動を規制する。
【００５０】
図６を参照して、画像読取装置４の構成について更に説明する。図６は、画像読取装置４を模式的に示す断面図である。図６に示すように、画像読取装置４は、読取部５０を更に備える。
【００５１】
読取部５０は、原稿と識別媒体とを読み取って画像データを生成する。読取部５０は、光源部５１と、受光部５２と、第１移動部５３と、第２移動部５４と、第１ミラー５５と、第２ミラー５６と、第３ミラー５７とを有する。
【００５２】
読取部５０は、第１移動部５３、及び第２移動部５４によって、光源部５１、及び第１ミラー５５〜第３ミラー５７を左右方向に移動させて、原稿、及び識別媒体の画像を読み取る。
【００５３】
第１コンタクトガラス４１に載置された原稿、又は識別媒体の画像を読み取る際に、光源部５１は、待機位置から右方へと移動される。待機位置は、仕切り部４３の下方に設定される。また、第２コンタクトガラス４２に載置された識別媒体の画像、又は搬送部４７によって搬送される原稿の画像を読み取る際に、光源部５１は、待機位置から左方へと移動される。
【００５４】
読取部５０は、画像を読み取る際に、光源部５１から光を出射する。光源部５１から出射された光は、原稿、又は識別媒体によって反射される。原稿、又は識別媒体によって反射された反射光は、第１ミラー５５〜第３ミラー５７を介して受光部５２によって受光される。この結果、受光部５２によって、原稿、又は識別媒体の画像が撮像される。読取部５０は、撮像した画像に基づいて画像データを生成する。画像データは、制御部７に出力される。
【００５５】
図１、及び図７を参照して、制御部７と記憶部８とについて説明する。図７は、画像形成装置１の構成を示すブロック図である。図７に示すように、記憶部８は、第１記憶部８１と、第２記憶部８２とを有する。第１記憶部８１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等の半導体メモリーを有する。ＲＯＭは、例えば、制御部７によって実行される種々のコンピュータープログラムを記憶する。ＲＡＭは、例えば、制御部７を介して、原稿の画像データ、及び識別媒体の画像データを記憶する。第２記憶部８２は、例えば、ハードディスクドライブを有する。第２記憶部８２は、予め入力された個人データを記憶する。
【００５６】
制御部７は、記憶部８に予め記憶されたコンピュータープログラムを実行することにより、認証制御部７１、読取制御部７２、動作制御部７３、及び削除部７４として機能する。制御部７は、例えば、ＣＰＵ（Ｃｅｎｔｒａｌ  Ｐｒｏｃｅｓｓｉｎｇ  Ｕｎｉｔ）から構成される。
【００５７】
読取制御部７２は、読取部５０を制御する。読取制御部７２は、例えば、コピー機能の開始信号が入力されると、原稿、及び識別媒体の読み取りを開始するように、読取部５０を制御する。
【００５８】
読取制御部７２は、原稿搬送部４５の原稿検知信号に基づいて、原稿、及び識別媒体の読み取り動作を変更する。詳しくは、読取制御部７２は、原稿検知信号が制御部７に無い場合に、光源部５１を待機位置から左方へ移動させる。この結果、読取部５０は、第２コンタクトガラス４２に載置された識別媒体Ｄ２の画像を読み取って、識別媒体の画像データを生成する。読取制御部７２は、読取部５０が識別媒体Ｄ２の画像を読み取った後に、光源部５１を右方へ移動させる。この結果、読取部５０は、原稿の画像を読み取って、原稿の画像データを生成する。読取制御部７２は、原稿の画像データ、及び識別媒体Ｄ２の画像データを、第１記憶部８１のＲＡＭに記憶させる。
【００５９】
読取制御部７２は、原稿検知信号が制御部７に有る場合に、光源部５１を待機位置から右方へ移動させる。この結果、読取部５０は、第１コンタクトガラス４１に載置された識別媒体Ｄ１の画像を読み取って、識別媒体の画像データを生成する。読取制御部７２は、読取部５０が識別媒体Ｄ１の画像を読み取った後に、光源部５１を待機位置の左方へ移動させて、第２コンタクトガラス４２の下方で停止させる。その後、読取制御部７２は、原稿搬送部４５を制御して、原稿搬送トレイ４６に載置された原稿を連続して搬送させる。この結果、読取部５０は、原稿の画像を連続して読み取って、原稿の画像データを生成する。読取制御部７２は、原稿の画像データ、及び識別媒体Ｄ１の画像データを、第１記憶部８１のＲＡＭに記憶させる。
【００６０】
認証制御部７１は、第１記憶部８１が識別媒体の画像データを記憶した際に、画像形成装置１の使用者の認証を開始する。認証制御部７１は、第１記憶部８１に記憶される識別媒体の画像データと第２記憶部８２に記憶される個人データとに基づいて使用者を認証する。詳しくは、認証制御部７１は、例えば、文字認識機能を用いて、識別媒体の画像データから社員番号を認識する。
【００６１】
認証制御部７１は、識別媒体の画像データから社員番号を認識できない場合に、画像データに基づく識別媒体の画像を回転させて、識別媒体の画像に含まれる社員番号を認識する。具体的には、認証制御部７１は、識別媒体の画像データを、文字の上下方向が整うように、例えば、９０°、又は１８０°回転させる。この後に、認証制御部７１は、文字認識機能を再度用いることによって、識別媒体の画像データから社員番号を認識する。したがって、識別媒体がどの方向で載置されても、識別媒体の画像データを認証制御部７１によって認識できる。
【００６２】
認証制御部７１は、認識した社員番号と、個人データとして予め入力された複数の社員番号とを比較する。認証制御部７１は、認識した社員番号が複数の社員番号の中に含まれる場合に、認証可を示す認証信号を生成する。逆に、認証制御部７１は、認識した社員番号が複数の社員番号の中に含まれない場合に、認証不可を示す認証信号を生成する。
【００６３】
動作制御部７３は、認証信号が認証可を示す場合に、画像形成部３を制御して、第１記憶部８１に記憶された原稿の画像データに基づく画像を用紙Ｓに形成する。逆に、動作制御部７３は、認証信号が認証不可を示す場合に、画像形成部３を作動させない。したがって、本実施形態の画像形成装置１では、認証信号が認証不可を示す場合に、第１記憶部８１に記憶された原稿の画像データに基づく画像を形成しない。なお、動作制御部７３は、認証信号が認証不可を示す場合に、認証不可を示す画像を表示するように操作パネル６を制御してもよい。
【００６４】
削除部７４は、第１記憶部８１に記憶された原稿の画像データと、識別媒体の画像データとを削除する。削除部７４は、原稿検知信号の入力が無く、かつ、認証信号が認証不可を示す場合に、第１記憶部８１に記憶された原稿の画像データと、識別媒体の画像データとを削除する。また、削除部７４は、原稿検知信号が入力され、かつ、認証不可を示す認証信号が所定回数を超えて入力された場合に、第１記憶部８１に記憶された原稿の画像データと、識別媒体の画像データとを削除する。
【００６５】
以上、図１から図７を参照して、本発明の実施形態に係る画像読取装置４、及び画像形成装置１について説明した。但し、本発明は、上記の実施形態に限られるものではなく、その要旨を逸脱しない範囲で種々の態様において実施することが可能である。
【００６６】
例えば、本発明の実施形態では、カーソル４６ａ、４６ｂによって、原稿搬送トレイ４６に載置される原稿Ｐの位置を規制して、原稿搬送トレイ４６の中心線Ｌと、原稿Ｐの中心線とを重ねていたが、本発明はこれに限定されない。カーソル４６ａ、４６ｂは、原稿搬送トレイ４６において、原稿Ｐの位置を規制すればよい。カーソル４６ａ、４６ｂは、原稿搬送トレイ４６の一方側に当接するように、原稿Ｐの位置を規制してもよい。
【００６７】
図４、及び図８を参照して、他の実施形態のカーソル４６ａ、４６ｂについて説明する。図８は、他の実施形態の原稿搬送部４５を模式的に示す平面図である。図８に示すように、カーソル４６ａは、原稿搬送トレイ４６の後端部に固定される。カーソル４６ａは、本発明の第１カーソルの一例である。一方、カーソル４６ｂは、上面部４６ｃ上において、前後方向の任意の位置に固定可能である。カーソル４６ｂは、本発明の第２カーソルの一例である。したがって、原稿搬送トレイ４６に載置される原稿Ｐは、カーソル４６ｂによってカーソル４６ａに当接するように位置が規制される。
【００６８】
図８に示す実施形態において、図４を参照して説明した媒体規制部５９は、載置部４０の前側と後側とのうち、後側に形成される。媒体規制部５９は、載置部４０の後端部と所定の距離を設けて形成される。この結果、搬送中の原稿Ｐの端部と媒体規制部５９との接触が防止され、原稿Ｐを滞りなく搬送できる。
【００６９】
また、例えば、本発明の実施形態では、第２記憶部８２が個人データを記憶していたが、本発明は、これに限定されない。例えば、外部のサーバー装置から個人データを受信して認証する態様であってもよい。
【００７０】
例えば、本発明の実施形態では、識別媒体の全部分を読み取って識別媒体の画像データを生成していたが、本発明はこれに限定されない。本発明の実施形態は、識別媒体の一部を読み取って、識別媒体の画像データを生成する態様であってもよい。この態様では、読取部５０によって、識別媒体に記載された社員番号、又は顔写真等の個人データの一部が読み取られる。詳しくは、識別媒体が第１載置位置、又は第２載置位置に載置されると、識別媒体に記載の個人データの一部が予め設定された範囲に位置する。読取部５０は、予め設定された範囲のみを読み取る。この結果、個人データの一部のみが読み取られる。この態様によれば、識別媒体の画像データのサイズを小さくできるとともに、識別媒体の読み取りに要する時間も短縮できる。
【００７１】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００７２】
本発明は、画像読取装置、及び画像形成装置に関するものであり、複数の使用者に共用される画像読取装置、及び画像形成装置に有用である。
【符号の説明】
【００７３】
１        画像形成装置
３        画像形成部
４        画像読取装置
４０      載置部
４２      第２コンタクトガラス
４５      読取部
５０      原稿搬送部
５９      媒体規制部
【図１】
2018037727.tif 000003
【図２】
2018037727.tif 000004
【図３】
2018037727.tif 000005
【図４】
2018037727.tif 000006
【図５】
2018037727.tif 000007
【図６】
2018037727.tif 000008
【図７】
2018037727.tif 000009
【図８】
2018037727.tif 000010